(57)【要約】【課題】点字プレートの点字突起物のみ光らせ、バックライト光源のスペースのような点字プレート裏面の光源スペースが不要な光る点字装置およびその作製方法を提供する。【解決手段】光る点字装置１は、点字プレート基材８と、基材８の表面上に被覆された導電性膜６と、導電性膜６に形成された回路パターン（溝）７と、回路パターン（溝）７上に配置された面実装型の所定サイズ以下のＬＥＤ素子４と、導電性膜６上に固着されＬＥＤ素子４を内包する点字突起部の形状及びサイズのドーム状透明性素材５と、から成り、少なくとも１つの点字マスを形成した構成とされるものである。【選択図】図１
2011180539.tif 000002
【特許請求の範囲】
【請求項１】
点字プレート基材と、
前記基材の表面上に被覆された導電性膜と、
前記導電性膜に形成された回路パターンと、
前記回路パターン上に配置された面実装型の所定サイズ以下のＬＥＤ素子と、
前記導電性膜上に固着され前記ＬＥＤ素子を内包する点字突起部の形状及びサイズのドーム状透明性素材と、
から成り、
少なくとも１つの点字マスを形成したことを特徴とする光る点字装置。
【請求項２】
前記ＬＥＤ素子は、長手方向の寸法が０．６ｍｍ以下で、厚みが０．２ｍｍ以下であることを特徴とする請求項１に記載の光る点字装置。
【請求項３】
前記導電性膜は、フッ素ドープ酸化スズ膜（ＦＴＯ膜）であることを特徴とする請求項１に記載の光る点字装置。
【請求項４】
前記点字プレート基材は、透明性を有するガラス若しくは樹脂であることを特徴とする請求項１に記載の光る点字装置。
【請求項５】
前記点字プレート基材は、屈曲性を有する樹脂素材から成ることを特徴とする請求項１に記載の光る点字装置。
【請求項６】
前記回路パターンは、それぞれの点字の中心を通過する１本のラインであり、該ラインはプラス電極とマイナス電極の境界ラインを形成するものであることを特徴とする請求項１に記載の光る点字装置。
【請求項７】
前記ドーム状透明性素材は、フルネルレンズであることを特徴とする請求項１に記載の光る点字装置。
【請求項８】
点字レイアウトを決定するレイアウト工程と、
点字プレート基材の表面上に導電性膜を被覆する導電膜被覆工程と、
それぞれの点字の中心を通過し、プラス電極とマイナス電極の境界ラインとなる回路パターンを前記導電性膜に形成する回路パターン形成工程と、
前記回路パターン上に面実装型の所定サイズ以下のＬＥＤ素子を配置するＬＥＤ配置工程と、
前記ＬＥＤ素子を内包するように前記導電性膜上に点字突起部の形状及びサイズのドーム状透明性素材を固着させるドーム状素材固着工程と、
から成り、
少なくとも１つの点字マスの形成することを特徴とする光る点字装置の作製方法。
【請求項９】
前記ドーム状素材固着工程は、フルネルレンズを点字突起部の形状及びサイズのドーム状に形成する工程と、透明性接着剤を用いて前記導電性膜上に固着させる工程とからなることを特徴とする請求項８に記載の光る点字装置の作製方法。
【発明の詳細な説明】
【技術分野】
【０００１】
本発明は、点字突起物そのものが光る点字装置ならびにその作製方法に関する。
【背景技術】
【０００２】
点字とは、視覚障害者が触覚で読む字であり、盛り上がった点によって文字・数字を表現するものである。通常用いられる点字は、縦３点、横２点の６つの点で構成されている。この６つの点で構成された点字の単位は点字マスと呼ばれている。かかる点字については、ＪＩＳ(日本工業規格)Ｔ９２１の高齢者・障害者配慮設計指針（点字の表示原則及び点字表示方法）によって、点字表示に使用する材料や、点字の間隔及び断面形状が定められている。点字の間隔や点字の形状に関するＪＩＳ規格について図８に示す。１つの点字突起物のサイズは、直径が２ｍｍ以下の米粒程度の大きさである。また、点字表示に使用する材料は、安全性，耐久性や熱的安定性が要求されている。
【０００３】
従来、点字そのものを光らせる技術として、点字配置に小径孔が穿設された化粧プレートの小径孔上に光透過性を有する合成樹脂材からなる点字突起部が形成された点字プレートが知られている（特許文献１を参照。）。この特許文献１に開示された技術の点字プレートは、化粧プレートの裏面に白熱球ランプや発光ダイオード（ＬＥＤ）光源を設け、光源により照射された光により点字突起部自体を発光させるものである。この技術は、全盲者だけでなく、先天性及び後天性弱視者、或いは全盲者の付き添者等に、暗い場所で点字位置の存在が容易に確認できるためのものである。
【先行技術文献】
【特許文献】
【０００４】
【特許文献１】特開２００７−２５７１９号公報
【発明の概要】
【発明が解決しようとする課題】
【０００５】
上記の特許文献１に開示された点字プレート及び点字発光表示装置の場合、点字プレートは裏面からバックライトとなる白熱球ランプや発光ダイオードなどの光源により照射される構成であり、点字プレート裏面と光源との距離の確保や光源を収納するスペースが必要となる。そのため、点字装置自体が大きく、既存の点字プレートの置き換えが容易に行えないといった問題がある。
【０００６】
また、特許文献１に開示された点字プレート及び点字発光表示装置の場合、光源を収納するスペースの問題から、階段や廊下の手摺りの表面に取り付けることが出来なかった。
さらに、意匠性の観点から、透明な点字プレートのニーズがあるものの、特許文献１に開示された点字プレート及び点字発光表示装置の場合、点字突起物以外のところは遮光性が要求されることから、透明な点字プレートを使用することが出来なかった。
【０００７】
本発明は、上記問題に鑑みて、点字プレートの点字突起物のみ光らせ、バックライト光源のスペースのような点字プレート裏面の光源スペースが不要な光る点字装置およびその作製方法を提供することを目的とする。
【課題を解決するための手段】
【０００８】
上記課題を解決すべく、本発明の光る点字装置は、点字プレート基材と、基材の表面上に被覆された導電性膜と、導電性膜に形成された回路パターンと、回路パターン上に配置された面実装型の所定サイズ以下のＬＥＤ素子と、導電性膜上に固着されＬＥＤ素子を内包する点字突起部の形状及びサイズのドーム状透明性素材と、から成り、少なくとも１つの点字マスを形成した構成とされる。
【０００９】
かかる構成によれば、点字プレートの点字突起物のみ光らせることができ、また、バックライト光源のスペースのような点字プレート裏面の光源スペースが不要となる。
また、ＬＥＤ素子を点字プレート基材の表面に配置することで、点字プレート基材の裏面に配置するものと比べて、点字プレート基材による屈折等の影響を回避でき、より視認性を向上することができる。
ここで、点字プレート基材としては、ガラスやアクリル樹脂などが用いられる。また、導電性膜は、透明性の酸化インジウムスズ（ＩＴＯ）膜やフッ素ドープ酸化スズ（ＦＴＯ）膜やそれらの複合膜、透明性を有しない導電性膜を用いることができる。
また、導電性膜に形成された回路パターンとは、導電性膜をプラス電極とマイナス電極の２つの領域に分けるための境界の溝のラインのパターンのことである。
また、ドーム状透明性素材は、点字の突起物形状を成すもので、また、指で触った場合の耐圧や水気などからＬＥＤ素子を保護するためのものである。具体的には、ガラスや硬質性樹脂が用いられる。
【００１０】
ここで、上記のＬＥＤ素子は、長手方向の寸法が０．６ｍｍ以下で、厚みが０．２ｍｍ以下の面実装型ＬＥＤを用いる。ＪＩＳ規格によれば、点字突起物のサイズは、円の直径が１．３〜１．７ｍｍであり、点の中心の高さが０．３〜０．５ｍｍである。この点字突起物の内部スペース内に収納すべく、かつ、機械実装時の誤差およびＬＥＤ素子に被せるドーム状透明性素材の肉厚を考慮して、かかる寸法の超小型のＬＥＤ素子を用いることにしたものである。超小型のＬＥＤ素子の形状は、正方形や長方形の台座の底面にアノードとカソードの端子が対向して形成され、中央付近にＬＥＤチップが内蔵され、平坦な形状を呈している。なお、かかる寸法形状の超小型のＬＥＤ素子は、発明者が既にＬＥＤメーカーに相談しており、かかるＬＥＤメーカーは商品化に向けて開発が進んでいる。
【００１１】
また、本発明の光る点字装置における導電性膜は、フッ素ドープ酸化スズ膜（ＦＴＯ）であることが好ましい。
導電性膜をフッ素ドープ酸化スズ（ＦＴＯ）膜にすることにより、透明性のみならず、紫外線などの耐光性を向上し、導電性に関して膜内の抵抗値のバラつきを少なくすることが可能になる。
【００１２】
また、本発明の光る点字装置における点字プレート基材は、透明性を有するガラス若しくは樹脂であることが好ましい。
点字プレート基材としてガラス等の透明材料を用いることで、意匠性に優れた点字プレートを作製することができるからである。
【００１３】
また、本発明の光る点字装置における点字プレート基材は、屈曲性を有する樹脂素材から成ることが好ましい。
点字プレート基材として屈曲性を備えた樹脂シートを用いることで、階段や廊下の手摺りの表面に取り付けることができるからである。
【００１４】
また、本発明の光る点字装置における回路パターンは、それぞれの点字の中心を通過する１本のラインであり、該ラインはプラス電極とマイナス電極の境界ラインを形成するものであることが好ましい。
導電性膜をプラス電極とマイナス電極の２つの領域に分けるべく、１本のライン（溝）を形成する。ライン形成だけで回路パターンを構築するため、作製プロセスが簡素化できる。
【００１５】
また、本発明の光る点字装置におけるドーム状透明性素材は、フルネルレンズ(Fresnel lens)であることが好ましい。フルネルレンズは、通常のレンズを同心円状の領域に分割し厚みを減らしたレンズであり、のこぎり状の断面を持つものである。
ＬＥＤ素子の光は、ドーム状に形成されたガラスなどの透明性素材を通して、屈折しながら照射される。フルネルレンズを用いることにより、かかるＬＥＤ素子の照射光を点字プレートの垂直方向に集めることができる。
【００１６】
次に、本発明の点字装置の作製方法は、
１）点字レイアウトを決定するレイアウト工程と、
２）点字プレート基材の表面上に導電性膜を被覆する導電膜被覆工程と、
３）それぞれの点字の中心を通過し、プラス電極とマイナス電極の境界ラインとなる回路パターンを導電性膜に形成する回路パターン形成工程と、
４）回路パターン上に面実装型の所定サイズ以下のＬＥＤ素子を配置するＬＥＤ配置工程と、
５）ＬＥＤ素子を内包するように導電性膜上に点字突起部の形状及びサイズのドーム状透明性素材を固着させるドーム状素材固着工程と、
から成り、
少なくとも１つの点字マスの形成することを特徴とする。
【００１７】
ここで、上記の本発明の点字装置の作製方法におけるドーム状素材固着工程は、フルネルレンズを点字突起部の形状及びサイズのドーム状に形成する工程と、透明性接着剤を用いて導電性膜上に固着させる工程とからなることが好ましい態様である。
【発明の効果】
【００１８】
本発明に係る点字装置によれば、無数の文字の組合せの点字に対応するために、数多くの型を用意する必要がなく、回路パターンの形成の自由度によって、無数の文字の組合せの点字に対応することが可能になる。
本発明に係る点字装置によれば、点字プレートの点字突起物のみ光らせることができ、かつ、バックライト光源のスペースのような点字プレート裏面の光源スペースを全く必要としないことから、既存の点字プレートの置き換えが容易である。
また、本発明に係る点字装置によれば、点字プレート基材として屈曲性を備えた樹脂シートを用いることで、階段や廊下の手摺りの表面に取り付けることができる。
さらに、本発明に係る点字装置によれば、点字プレート基材としてガラス等の透明材料を用いることで、意匠性に優れた点字プレートを提供できる。
【図面の簡単な説明】
【００１９】
【図１】実施例１の点字装置の概略構成図
【図２】実施例１の点字プレートの説明図
【図３−１】実施例１の点字プレート（男子トイレ）の回路配線の説明図
【図３−２】実施例１の点字プレート（女子トイレ）の回路配線の説明図
【図４】実施例１の点字プレートのフレームの説明図
【図５】実施例１の点字プレートの設置イメージ
【図６】実施例１の点字プレートの壁面取付け構成図
【図７】実施例１の点字プレートの壁面取付け説明図
【図８】点字の間隔や点字の形状に関するＪＩＳ規格の説明図
【発明を実施するための最良の形態】
【００２０】
以下、本発明の実施形態について、図面を参照しながら詳細に説明していく。ただし、本発明の範囲は、以下の実施例や図示例に限定されるものではなく、幾多の変更または変形が可能である。
【実施例１】
【００２１】
本発明の点字装置の概略構成について、図１を参照しながら説明する。図１は、実施例１の点字装置の説明図であって、１つの点字部分を拡大図示した拡大断面図である。図１に示すように、実施例１の点字装置１は、点字プレート基材８と、基材８の表面上に被覆された導電性膜６と、導電性膜６に形成された回路パターン（溝）７と、回路パターン（溝）７上に配置された長手方向の寸法が０．６ｍｍ、厚さが０．２ｍｍの面実装型のＬＥＤ素子４と、導電性膜６上に固着されＬＥＤ素子４を内包する点字突起部の形状及びサイズのドーム状透明性素材５と、から成るものである。この点字装置１を１〜６個用いて、縦３個・横２個の１つの点字マスを形成する。
ここで、回路パターン（溝）７とは、基材８の表面上に被覆された導電性膜６の全体が電極となるため、ただ単に正負を分離するものとなる。したがって、回路パターン（溝）７の上に図１のように面実装型のＬＥＤ素子４を配置すると、正負の電位差によってＬＥＤ素子４が点灯することになるのである。
【００２２】
次に、実施例１の点字装置１を構成する各部材について説明する。
先ず、点字プレート基材８は透明ガラスである。点字プレート基材８の表面上には、透明性導電膜であるフッ素ドープ酸化スズ（ＦＴＯ）膜が導電性膜６として形成されている。導電性膜６には、回路パターン（溝）７が形成されている。回路パターン（溝）７は、点字表示パターンを決定した後に、それぞれの点字の中心を通過し、プラス電極とマイナス電極の境界ラインとなるように、導電性膜６を削り取って作製する。回路パターン（溝）７がＬＥＤ素子４のアノードとカソードを分離するように、ＬＥＤ素子４が導電膜６上に配置される。なお、ＬＥＤ素子４は、ＬＥＤ本体２と、点字突起物のサイズよりも小さな寸法のＬＥＤ基板３とから成る。
【００２３】
ＬＥＤ素子４を内包するように、ドーム状のフルネルレンズが導電性膜６上に接着されている。導電性膜６の両側は、それぞれプラス電極９ａとマイナス電極９ｂに接続されており、それぞれＬＥＤ素子４のアノードとカソードと接触している。
【００２４】
図２は、実施例１の点字プレート１０を示している。点字突起物１１は、全て上述の点字装置１と同様の構成となっている。図２において、１２は男性用トイレのマークであり、点字突起物１１は男性トイレの点字表示を示している。また、点字プレート１０には、引き出し電極（１３ａ，１３ｂ）が設けられている。それぞれの引き出し電極（１３ａ，１３ｂ）は、後述するように、点字プレート１０の基材の表面上に被覆された導電性膜と接触部（１６ａ，１６ｂ）で接触している。
【００２５】
図３−１は、実施例１の点字プレート（男子トイレ）の回路配線を示している。点字プレート１０の表面にフッ素ドープ酸化スズ膜（ＦＴＯ膜）が形成され導電性膜（１７ａ，１７ｂ）となっている。このフッ素ドープ酸化スズ膜（ＦＴＯ膜）は、回路パターン１５によって、２つの領域の導電性膜（１７ａ，１７ｂ）に分離されている。導電性膜１７ａは、回路パターン１５と境界ライン１５ａの間の領域となる。同様に、導電性膜１７ｂは、回路パターン１５と境界ライン１５ｂの間の領域となる。
【００２６】
例えば、左の電極１６ａがプラス電位（＋）となっており、右の電極１６ｂが接地電位（ＧＮＤ）となっている場合、導電性膜１７ａはプラス電位（＋）となり、導電性膜１７ｂは接地電位（ＧＮＤ）となる。上述したように、点字プレート１０の左右の図示しない引き出し電極（１３ａ，１３ｂ）とそれぞれ接触部（１６ａ，１６ｂ）でつながることで、２つの領域の導電性膜（１７ａ，１７ｂ）には電位差が生じることになる。
なお、切欠部１９ａは、接触部１６ａが導電膜１７ｂとショートしないように設けたものである。同様に、切欠部１９ｂは、接触部１６ｂが導電膜１７ａとショートしないように設けたものである。切欠部（１９ａ，１９ｂ）は、必ずしも設ける必要はない。
【００２７】
図３−１に示す回路パターン１５は、上述の点字装置１と同様の構成を備えた点字突起物（１１ａ〜１１ｋ）の１１個の点字の中心を通過する１本のラインとなっている。このラインがプラス電位と接地電位の境界ラインを形成することになる。これにより、引き出し電極（１３ａ，１３ｂ）に電位差を与えると、点字突起物（１１ａ〜１１ｋ）の１１個の点字が点灯することになる。
【００２８】
図３−２は、実施例１の点字プレート（女子トイレ）の回路配線を示している。点字突起物（１１ｍ〜１１ｖ）は、全て上述の点字装置１と同様の構成となっている。図３−２において、１２ｂは女性用トイレのマークであり、点字突起物（１１ｍ〜１１ｖ）は女性トイレの点字表示を示している。図３−２に示す点字プレート（女子トイレ）は、点字プレート（男子トイレ）と同様に、点字プレート１０の表面にフッ素ドープ酸化スズ膜（ＦＴＯ膜）が形成され導電性膜（１７ａ，１７ｂ）となっている。このフッ素ドープ酸化スズ膜（ＦＴＯ膜）は、回路パターン１５ｄによって、２つの領域の導電性膜（１７ａ，１７ｂ）に分離されている。導電性膜１７ａは、回路パターン１５ｄと境界ライン１５ａの間の領域となる。同様に、導電性膜１７ｂは、回路パターン１５ｄと境界ライン１５ｂの間の領域となる。
【００２９】
図３−２に示す点字プレート（女子トイレ）は、点字プレート（男子トイレ）と同様に、例えば、左の電極１６ａがプラス電位（＋）となっており、右の電極１６ｂが接地電位（ＧＮＤ）となっている場合、導電性膜１７ａはプラス電位（＋）となり、導電性膜１７ｂは接地電位（ＧＮＤ）となる。上述したように、点字プレート１０の左右の図示しない引き出し電極（１３ａ，１３ｂ）とそれぞれ接触部（１６ａ，１６ｂ）でつながることで、２つの領域の導電性膜（１７ａ，１７ｂ）には電位差が生じることになる。
【００３０】
図３−２に示す回路パターン１５ｄは、上述の点字装置１と同様の構成を備えた点字突起物（１１ｍ〜１１ｖ）の１０個の点字の中心を通過する１本のラインとなっている。このラインがプラス電位と接地電位の境界ラインを形成することになる。これにより、引き出し電極（１３ａ，１３ｂ）に電位差を与えると、点字突起物（１１ｍ〜１１ｖ）の１０個の点字が点灯することになる。
【００３１】
次に、点字プレート１０の壁面への取り付けの仕方について説明する。図４に示すように、点字プレート１０において、フレーム１８が、電極（１３ａ，１３ｂ）を被覆している。そして、図５に示すように、４つのビス（１４ａ〜１４ｄ）によって壁面に取り付ける。
【００３２】
ビス止めは、図６及び図７に示すように、取り付け壁面２０と点字プレート１０の間にスペーサーパイプ２２が設けられ、ビス２１が点字プレート１０とスペーサーパイプ２２を貫通するようにビスを止めている。化粧キャップ２３は、ビス２１の頭部を隠すためのものである。
【産業上の利用可能性】
【００３３】
本発明は、先天性及び後天性弱視者、全盲者の付き添者用の点字に有用である。
【符号の説明】
【００３４】
１  光る点字装置
２  ＬＥＤ本体
３  ＬＥＤ基板
４  ＬＥＤ素子
５  フルネルレンズ
６  ＦＴＯ膜
７  回路パターン（溝）
８  ガラス基板
９ａ，９ｂ  電極
１０  点字プレート
１１，１１ａ〜１１ｋ，１１ｍ〜１１ｖ  点字突起物
１２  男性用トイレのマーク
１２ｂ  女性用トイレのマーク
１３ａ，１３ｂ  引き出し電極
１４ａ〜１４ｄ  ビス
１５，１５ｄ  回路パターン
１５ａ，１５ｂ  導電性膜の境界ライン
１６ａ，１６ｂ  引き出し電極と導電性膜の接触部
１７ａ，１７ｂ  導電性膜
１８  フレーム
１９ａ，１９ｂ  切欠部
２０  取り付け壁面
２１  ビス
２２  スペーサーパイプ
２３  化粧キャップ
【図１】
2011180539.tif 000003
【図２】
2011180539.tif 000004
【図３−１】
2011180539.tif 000005
【図３−２】
2011180539.tif 000006
【図４】
2011180539.tif 000007
【図５】
2011180539.tif 000008
【図６】
2011180539.tif 000009
【図７】
2011180539.tif 000010
【図８】
2011180539.tif 000011